(57)【要約】  本発明は有機性燃料を利用して電力を生産する燃焼発電装置に関するものである。本発明の一実施例によると、互いに異なる前記有機性原料を供給する複数個の単一燃料供給部と前記単一燃料供給部から供給された有機性原料を混合する燃料混合部および前記燃料混合部内で均一に混合された前記有機性原料の供給を受ける混合燃料供給部を含む燃料供給ユニットと前記混合燃料供給部から供給された前記有機性原料を燃焼させる燃焼チャンバーを具備する反応ユニットと、そして前記燃焼チャンバー内で前記有機性燃料の燃焼反応によって生成される熱エネルギーを利用して電力を生産する内部発電部および前記燃焼チャンバーの外部に放出される熱エネルギーを利用して電力を生産する外部発電部を具備する発電ユニットを含む燃焼発電装置を含む。
2019535944.tif 000002
【特許請求の範囲】
【請求項１】
有機性原料を利用して電力を生産する燃焼発電装置において、
互いに異なる前記有機性原料を供給する複数個の単一燃料供給部と前記単一燃料供給部から供給された前記有機性原料を混合する燃料混合部および前記燃料混合部内で均一に混合された前記有機性原料の供給を受ける混合燃料供給部を含む燃料供給ユニットと；
前記混合燃料供給部から供給された前記有機性原料を燃焼させる燃焼チャンバーを具備する反応ユニットと；そして
前記燃焼チャンバー内で前記有機性燃料の燃焼反応によって生成される熱エネルギーを利用して電力を生産する内部発電部および前記燃焼チャンバーの外部に放出される熱エネルギーを利用して電力を生産する外部発電部を具備する発電ユニットを含む、燃焼発電装置。
【請求項２】
前記内部発電部は、前記燃焼チャンバーの内部空間に位置するスターリングエンジンを利用して電力を生産し、
前記外部発電部は、
前記燃焼チャンバーの周囲に位置して前記燃焼チャンバーから外部に放出される熱エネルギーを吸収する集熱板および前記集熱板から供給された熱を利用して電力を生産する発電素子を含む、請求項１に記載の燃焼発電装置。
【請求項３】
前記燃料混合部は、
内部に前記有機性燃料が混合される混合空間を有する混合チャンバーと；
前記混合チャンバーの内部に位置して前記有機性原料を混合する燃料混合部材を含む、請求項１に記載の燃焼発電装置。
【請求項４】
前記燃焼発電装置は、前記有機性原料が前記燃焼チャンバー内で燃焼された後、生成される反応副産物を排出する反応副産物排出ユニットをさらに含むものの、
前記反応副産物排出ユニットは、
前記燃焼チャンバー内で生成された前記反応副産物が収容される反応副産物容器と；
前記燃焼チャンバーおよび前記反応副産物容器と連結され、前記燃焼チャンバーで生成された前記反応副産物を前記反応副産物容器に供給する反応副産物供給管を含む、請求項２に記載の燃焼発電装置。
【請求項５】
前記反応副産物供給管は、前記燃焼チャンバーから前記反応副産物容器に向かう方向に行くほど断面積が次第に増加する形状で提供される、請求項４に記載の燃焼発電装置。
【請求項６】
前記燃焼発電装置は、前記燃焼チャンバーに酸化剤を供給する酸化剤供給ユニットをさらに含むものの、
前記酸化剤供給ユニットは、
気体状態の酸化剤を前記燃焼チャンバーに供給する酸化剤供給部と；
前記酸化剤供給部と連結されて前記燃焼チャンバーに酸化剤を供給する酸化剤供給ラインを含む、請求項４に記載の燃焼発電装置。
【請求項７】
前記酸化剤供給ラインは、
前記酸化剤供給部および前記反応副産物容器と連結されて前記酸化剤供給部から供給された前記酸化剤を前記反応副産物に供給する第１酸化剤供給ラインと；
前記燃焼チャンバーおよび前記反応副産物容器と連結されて前記反応副産物容器内の前記反応副産物と熱交換を行った前記酸化剤を前記燃焼チャンバーに供給する第２酸化剤供給ラインを含む、請求項６に記載の燃焼発電装置。
【請求項８】
前記燃焼発電装置は、前記燃焼チャンバー内で前記有機性燃料が燃焼反応後に生成される燃焼ガスを排出するガス排出ユニットをさらに含むものの、
前記ガス排出ユニットは、
前記燃焼チャンバーと連結されて前記燃焼チャンバーの前記燃焼ガスを前記燃料混合部に供給するガス供給ラインと；
前記燃料混合部内に前記有機性燃料と熱交換を行った後に排出される前記燃料ガスを外部に排出するガス排出ラインと；そして
前記ガス排出ライン上に結合されて前記燃料ガスを濾過する燃料ガス濾過器を含む、請求項１〜請求項７のいずれか一項に記載の燃焼発電装置。
【請求項９】
前記ガス排出ユニットは、前記ガス供給ラインに設置され、前記燃焼チャンバーから供給された前記燃焼ガスの汚物を除去するように触媒剤を有している汚物除去部をさらに含み、
前記燃焼発電装置は前記発電ユニットから供給された電力を保管して他の装置に前記電力を供給する電力ユニットをさらに含む、請求項８に記載の燃焼発電装置。
【請求項１０】
前記有機性原料は、コーヒーカス、ココナッツのカス、林地残滓、木材ペレット、廃食用油を含む、請求項８に記載の燃焼発電装置。
【発明の詳細な説明】
【技術分野】
【０００１】
本出願は２０１６年１２月１２日に出願された韓国特許出願第１０−２０１６−０１６８８０７号に基づいた優先権を主張し、該当出願の明細書および図面に開示されたすべての内容は本出願に援用される。
【０００２】
本発明は有機性燃料を利用して電力を生産できる燃焼発電装置に関するものであって、より具体的には、炭素および水素が多量含まれた多種の有機性物質が混合された有機性燃料を燃焼させて生成された熱エネルギーを利用して電力を生産できる燃焼発電装置に関するものである。
【背景技術】
【０００３】
エネルギー源の殆どを輸入に依存する韓国では、国家の安全保障や持続的な経済成長を維持するために、エネルギーの輸入依存度を最大限減少させ得る長期的なエネルギー源需給政策の樹立と根本的なクリーン代替エネルギーの開発が必須である。
【０００４】
このような現実において、バイオマスは化石燃料の枯渇と環境の汚染に対する憂慮を解消できる代替エネルギーの一分野として注目を浴びている。
【０００５】
バイオマスとは、太陽エネルギーを受けた植物と微生物の光合成によって生成される植物体、菌体とこれを食べて生きている動物体を含む生物有機体を指し示す用語である。したがって、バイオマス資源は、穀物などのデンプン質系の資源と林木およびわら、籾殻のような農業副産物を含むセルロース系の資源、さとうきび、テンサイのような糖質系の資源および飲食廃棄物などの有機性廃棄物に至るまで含む包括的な意味を有する。
【０００６】
現在地球上には、乾燥重量で約１．８〜２兆トンのバイオマスが存在し、この量の約１０％に該当する、２，０００億トンのバイオマスが毎年生産されており、これは地球上に照り付ける太陽エネルギーの約０．１％がバイオマスで蓄積されているものに該当し、また、バイオマスは根本的にＣＯ２による環境への影響がゼロであるので、化石燃料に比べて魅力的なエネルギー源である。
【０００７】
一方、従来の発電システムは、化石燃料を利用した方法と新再生エネルギーとしてバイオマスを利用した方法とに大別され得る。
【０００８】
従来の化石燃料を利用した発電システムは、燃料内に含まれた多量の重金属および硫黄化合物の形成により、これを処理するための別途の後処理設備の追加によって、設備および装置が大型化する問題がある。また、発電システムの小型化には限界があるため、プラン卜単位で開発された。経済的な側面においても、発電システムの後処理設備はタールおよび廃水などの２次汚物が発生するため、これを再処理するための莫大な運転費用が必要とされる。それにもかかわらず、国際環境規制の強化により、二酸化炭素低減設備の追加費用および運転費用が上昇するものと見込まれる。また、国際政治および経済状況などの外部的な要因により原料の需給および価格の変動が激しいため、運転費用に攪乱がもたらされ、根本的に安定した収益を出し難いのが実情である。
【０００９】
このような従来の化石燃料利用発電システムの問題点を解決するために、廃棄物などのバイオマスを利用する発電システムが提示された。バイオマス発電システムは、生活廃棄物および飲食ゴミなどのバイオマスを熱分解してタール（Ｔａｒ）およびダスト（Ｄｕｓｔ）含有量が少ない合成ガスを生成するガス化工程および合成ガスから電気を生産する発電設備で構成されるが、このようなガス化工程は、合成ガスを精製するための大規模な設備投資費用が発生するだけでなく、バイオマスの燃焼熱を直接的に活用することに比べてエネルギー損失が発生する。また、バイオマスとして使用できる廃棄物の種類が限定的であるため、回収した廃棄物の選別のための追加の人手の投入が相当なものであり、従来の化石燃料を利用した発電システムのように、廃棄物内にある有害物質の除去のための追加の後処理設備が必要であるため、装置の小型化および維持費用の減少を根本的に解決し難しいのが実情である。
【００１０】
従来の発電システムのうち、家庭用に適合した小型発電システムは、主に暖房および温水を供給するための用途であって、石油／ガスボイラーの熱併合発電方式または木材ペレットボイラーの熱源供給方式に区分することができる。このような従来の小型発電システムは、温水の供給と電気の発電を同時にすることができるという利点があるものの、温水の生産に過度な熱源が消費されるため、大型発電システムに対し電気の発電効率が顕著に低い問題点を有している。また、原料として使う木材ペレットなどには不純物および化学成分が多量含まれており、これを燃焼させる場合、２次汚染源が発生する問題点があり、これを解決するために不純物が少ない高品質の木材ペレットを使う場合には経済性が顕著に低くなるため、実際に適用することは困難である。
【発明の概要】
【発明が解決しようとする課題】
【００１１】
本発明は前述した問題点を解決するために、有機性原料を利用して電力を生産することができ、小型発電システムが可能な燃焼発電装置を提供することにその目的がある。
【課題を解決するための手段】
【００１２】
前記技術的課題を達成するための本発明は有機性原料を利用して電力を生産できる燃焼発電装置を提供する。
【００１３】
本発明の一実施例によると、燃焼発電装置は互いに異なる前記有機性原料を供給する複数個の単一燃料供給部と前記単一燃料供給部から供給された有機性原料を混合する燃料混合部および前記燃料混合部内で均一に混合された前記有機性原料の供給を受ける混合燃料供給部を含む燃料供給ユニットと前記混合燃料供給部から供給された前記有機性原料を燃焼させる燃焼チャンバーを具備する反応ユニットと、そして前記燃焼チャンバー内で前記有機性燃料の燃焼反応によって生成される熱エネルギーを利用して電力を生産する内部発電部および前記燃焼チャンバーの外部に放出される熱エネルギーを利用して電力を生産する外部発電部を具備する発電ユニットを含むことができる。
【００１４】
一実施例によると、前記内部発電部は、前記燃焼チャンバーの内部空間に位置するスターリングエンジンを利用して電力を生産し、前記外部発電部は前記燃焼チャンバーの周囲に位置して前記燃焼チャンバーから外部に放出される熱エネルギーを吸収する集熱板および前記集熱板から供給された熱を利用して電力を生産する発電素子を含むことができる。
【００１５】
一実施例によると、前記燃料混合部は内部に前記有機性燃料が混合される混合空間を有する混合チャンバーと前記混合チャンバーの内部に位置して前記有機性原料を混合する燃料混合部材を含むことができる。
【００１６】
一実施例によると、前記燃焼発電装置は、前記有機性原料が前記燃焼チャンバー内で燃焼された後、生成される反応副産物を排出する反応副産物排出ユニットをさらに含むものの、前記反応副産物排出ユニットは前記燃焼チャンバー内で生成された前記反応副産物が収容される反応副産物容器と前記燃焼チャンバーおよび前記反応副産物容器と連結され、前記燃焼チャンバーで生成された前記反応副産物を前記反応副産物容器に供給する反応副産物供給管を含むことができる。
【００１７】
一実施例によると、前記反応副産物供給管は、前記燃焼チャンバーから前記反応副産物容器に向かう方向に行くほど断面積が次第に増加する形状で提供され得る。
【００１８】
一実施例によると、前記燃焼発電装置は、前記燃焼チャンバーに酸化剤を供給する酸化剤供給ユニットをさらに含むものの、前記酸化剤供給ユニットは気体状態の酸化剤を前記燃焼チャンバーに供給する酸化剤供給部と前記酸化剤供給部と連結されて前記燃焼チャンバーに酸化剤を供給する酸化剤供給ラインを含むことができる。
【００１９】
一実施例によると、前記酸化剤供給ラインは前記酸化剤供給部および前記反応副産物容器と連結されて前記酸化剤供給部から供給された前記酸化剤を前記反応副産物に供給する第１酸化剤供給ラインと前記燃焼チャンバーおよび前記反応副産物容器と連結されて前記反応副産物容器内の前記反応副産物と熱交換を行った前記酸化剤を前記燃焼チャンバーに供給する第２酸化剤供給ラインを含むことができる。
【００２０】
一実施例によると、前記燃焼発電装置は、前記燃焼チャンバー内で前記有機性燃料が燃焼反応後に生成される燃焼ガスを排出するガス排出ユニットをさらに含むものの、前記ガス排出ユニットは前記燃焼チャンバーと連結されて前記燃焼チャンバーの前記燃焼ガスを前記燃料混合部に供給するガス供給ラインと前記燃料混合部内に前記有機性燃料と熱交換を行った後に排出される前記燃料ガスを外部に排出するガス排出ラインと、そして前記ガス排出ライン上に結合されて前記燃料ガスを濾過する燃料ガス濾過器を含むことができる。
【００２１】
一実施例によると、前記ガス排出ユニットは、前記ガス供給ラインに設置され、前記燃焼チャンバーから供給された前記燃焼ガスの汚物を除去するように触媒剤を有している汚物除去部をさらに含み、前記燃焼発電装置は前記発電ユニットから供給された電力を保管して他の装置に前記電力を供給する電力ユニットをさらに含むことができる。
【００２２】
一実施例によると、前記有機性原料はコーヒーカス、ココナッツのカス、林地残滓、木材ペレット、廃食用油を含むことができる。
【発明の効果】
【００２３】
本発明の一実施例によると、燃焼発電装置は、燃焼チャンバーの内部で生成された熱と外部に放出される熱を利用して電力を生産できる。すなわち、燃焼チャンバーの外部に放出される熱でも電力を生産して電力の生産効率を向上させることができる。
【００２４】
また、本発明の一実施例に係る燃焼発電装置は、汚物除去部または燃料ガス濾過器を通じて外部に排出される燃料ガスの汚物を最小化して環境の汚染を最小化することができる。
【図面の簡単な説明】
【００２５】
本明細書に添付される次の図面は、本発明の一実施例を例示するものであって、後述する詳細な説明と共に本発明の技術思想をより一層理解させる役割をするものであるため、本発明は前記図面に記載された事項にのみ限定して解釈されてはならない。
【図１】本発明の一実施例に係る燃焼発電装置を示す図面。
【図２】本発明の他の実施例に係る燃焼発電装置を示す図面。
【図３】本発明の他の実施例に係る燃焼発電装置を示す図面。
【図４】本発明の他の実施例に係る燃焼発電装置を示す図面。
【図５】図１の燃焼発電装置の過程において、有機性原料、反応副産物、燃焼ガス、そして酸化剤が移動されるのを概略的に示す図面。
【図６】図２の燃焼発電装置の過程において、有機性原料、反応副産物、燃焼ガス、そして酸化剤が移動されるのを概略的に示す図面。
【図７】図３の燃焼発電装置の過程において、有機性原料、反応副産物、燃焼ガス、そして酸化剤が移動されるのを概略的に示す図面。
【図８】図４の燃焼発電装置の過程において、有機性原料、反応副産物、燃焼ガス、そして酸化剤が移動されるのを概略的に示す図面。
【発明を実施するための形態】
【００２６】
以下、本発明の実施例を添付された図面を参照してさらに詳細に説明する。本発明の実施例は多様な形態で変形することができ、本発明の範囲は下記の実施例に限定されるものと解釈されてはならない。本実施例は当業界で平均的な知識を有する者に本発明をより完全に説明するために提供されるものである。したがって、図面における要素の形状は、より明確な説明を強調するために誇張して図示された部分もある。また、本明細書および特許請求の範囲に使われた用語や単語は、通常的であるか辞書的な意味に限定して解釈されてはならず、発明者は自分の発明を最善の方法で説明するために用語の概念を適切に定義できるという原則に即して、本発明の技術的思想に符合する意味と概念で解釈されるべきである。
【００２７】
本発明は有機性燃料を利用して電力を生産できる燃焼発電装置１に関するものである。
【００２８】
図１は、本発明の一実施例に係る燃焼発電装置を示す図面である。図１を参照すると、燃焼発電装置１は、燃料供給ユニット１０、反応ユニット２０、発電ユニット３０、反応副産物排出ユニット４０、酸化剤供給ユニット５０、ガス排出ユニット６０、そして電力ユニット７０を含む。
【００２９】
燃料供給ユニット１０は、互いに異なる有機性原料を混合して反応ユニット２０に供給する。燃料供給ユニット１０は複数個の有機性燃料を均一に混合して反応ユニット２０に供給することができる。
【００３０】
ここで、有機性原料は、コーヒーカス、ココナッツのカス、林地残滓、木材ペレット、廃食用油などを含む。これとは異なり、有機性原料はバイオマスの原料として使われる原料であれば、制限なく適用可能である。
【００３１】
燃料供給ユニット１０は、単一燃料供給部１１、燃料混合部１３、そして混合燃料供給部１８を含む。
【００３２】
単一燃料供給部１１は、単一の有機性原料を燃料混合部１３に供給する。単一燃料供給部１１は複数個が提供され得る。複数個の単一燃料供給部１１は、それぞれ互いに異なる有機性原料を燃料混合部１３に供給することができる。一例として、複数個の単一燃料供給部１１のうちいずれか一つはコーヒーカスのみを燃料混合部１３に供給することができる。複数個の単一燃料供給部１１のうち他の一つはココナッツのかすを燃料混合部１３に供給することができる。複数個の単一燃料供給部１１のうちさらに他の一つは林地残滓を燃料混合部１３に供給することができる。前述した実施例の他にも多様な有機性原料を単一燃料供給部１１を通じて燃料混合部１３に供給することができる。
【００３３】
燃料混合部１３は単一燃料供給部１１から供給された有機性原料を均一に混合することができる。燃料混合部１３は混合チャンバー１４および燃料混合部材１６を含む。
【００３４】
混合チャンバー１４は内部に混合空間１５を有することができる。混合チャンバー１４には、単一燃料供給部１１から有機性原料の供給を受けることができる流入口が形成され得る。混合チャンバー１４は密閉した形態で提供され得る。
【００３５】
混合チャンバー１４の内部には燃料混合部材１６が位置することができる。燃料混合部材１６は、単一燃料供給部１１に供給された複数の有機性原料を混合することができる。一例として、燃料混合部材１６は回転可能な装置で提供されて、混合空間１５で有機性原料を掻き回して有機性原料を均一に混合できる撹はん器で提供され得る。これとは異なり、燃料混合部材１６は複数の有機性原料を混合できる装置であれば制限なく適用可能である。
【００３６】
混合燃料供給部１８は燃料混合部１３と連結され得る。混合燃料供給部１８は燃料混合部１３で均一に混合された有機性原料の供給を受けて後述する燃焼チャンバー２１に供給することができる。一例として、混合燃料供給部１８は燃料混合部１３が連結された入口が開閉可能な形態の管で提供され得る。
【００３７】
反応ユニット２０は有機性原料を燃焼させて熱エネルギーを生成することができる。一例として、反応ユニット２０は燃焼チャンバー２１を有することができる。
【００３８】
燃焼チャンバー２１は混合燃料供給部１８と連結され得る。燃焼チャンバー２１は混合燃料供給部１８から有機性燃料の供給を受けることができる。燃焼チャンバー２１の内部空間は燃焼空間２３で提供され得る。供給された複数個の有機性原料は燃焼空間２３の内部で燃焼され得る。一例として、燃焼空間２３では後述する酸化剤供給部５１から気体状態の酸化剤の供給を受けて有機性原料を燃焼させることができる。
【００３９】
発電ユニット３０は反応ユニット２０で生成された熱エネルギーを利用して電力を生産できる。発電ユニット３０は生産された電力を後述する電力ユニット７０に供給することができる。
【００４０】
発電ユニット３０は内部発電部３１と外部発電部３３を含むことができる。
【００４１】
内部発電部３１は燃焼チャンバー２１内で有機性燃料の燃焼反応によって生成された熱エネルギーを利用して電力を生産できる。一例として、内部発電部３１は複数個のスターリングエンジンを含むことができる。スターリングエンジンは燃焼チャンバー２１の内部である燃焼空間２３に位置することができる。スターリングエンジンは生成された熱エネルギーを利用して電力を生産できる。前述した例とは異なり、燃焼空間２３の内部に位置して生成された熱エネルギーで電力を生産できる装置であれば制限なく適用可能である。
【００４２】
外部発電部３３は燃焼チャンバー２１の外部に放出される熱エネルギーを利用して電力を生産できる。一例として、外部発電部３３は集熱板３５と発電素子３７を含むことができる。
【００４３】
集熱板３５は燃焼チャンバー２１から放出される熱エネルギーを吸収することができる。集熱板３５は燃焼チャンバー２１と隣接して位置することができる。集熱板３５は燃焼チャンバー２１の外側に位置することができる。集熱板３５は燃焼チャンバー２１の周囲に複数個提供され得る。
【００４４】
発電素子３７は集熱板３５で吸収した熱エネルギーの伝達を受けることができる。発電素子３７は熱エネルギーを利用して電力を生産できる。発電素子３７は集熱板３５と連結されて提供され得る。
【００４５】
本発明は燃焼チャンバー２１の内部で生成される熱の他に燃焼チャンバー２１を抜け出る熱も外部発電部３３を通じて電力を生産することができ、電力の生産効率を最大化することができる。また、有機性原料を利用して環境に優しいエネルギーを生成することができる。
【００４６】
反応副産物排出ユニット４０は、有機性原料が燃焼チャンバー２１内で燃焼された後、生成される反応副産物を外部に排出することができる。ここで、反応副産物は有機性原料の燃焼後に生成される固体、液体、そして気体物質のうち固体および液体を含む物質であり得る。
【００４７】
反応副産物排出ユニット４０は反応副産物容器４３および反応副産物供給管４１を含む。
【００４８】
反応副産物容器４３は燃焼チャンバー２１内で生成された反応副産物が収容される容器である。反応副産物容器４３は内部に収容空間を有することができる。反応副産物容器４３は燃焼発電装置１に着脱可能に提供され得る。反応副産物容器４３は反応副産物が容器の内部に一定量以上満たされる場合、燃焼発電装置１から分離して外部に排出することができる。反応副産物容器４３は耐熱性の強い材質で提供され得る。
【００４９】
反応副産物供給管４１は、一端は燃焼チャンバー２１と連結され、他端は反応副産物容器４３と連結され得る。反応副産物供給管４１は燃焼チャンバー２１から供給された反応副産物を反応副産物容器４３に供給することができる。一例として、反応副産物供給管４１の一端から他端に行くほど断面積が大きくなる形態で提供され得る。一例として、反応副産物供給管４１は燃焼チャンバー２１から反応副産物容器４３に向かう方向に行くほど断面積が次第に増加する形状で提供され得る。一例として、反応副産物供給管４１は、逆漏斗の形状を有することができる。一例として、反応副産物供給管４１はその断面が円形の形態で提供され得る。
【００５０】
前述した例とは異なり、反応副産物供給管４１は断面積が同じである形態の供給管で提供され得る。
【００５１】
酸化剤供給ユニット５０は燃焼チャンバー２１に酸化剤を供給することができる。酸化剤は反応空間で燃焼反応時に燃焼反応を促進する物質で提供され得る。一例として、酸化剤は酸素を含む空気、酸素またはオゾンで提供され得る。これとは異なり、有機性燃料を酸化させ得る酸化剤であれば制限なく適用可能である。
【００５２】
酸化剤供給ユニット５０は酸化剤供給部５１および酸化剤供給ライン５３を含むことができる。
【００５３】
酸化剤供給部５１は気体状態の酸化剤を燃焼チャンバー２１に供給することができる。一例として、酸化剤供給部５１は外部の空気を流入するようにファンを有し、外部の空気を後述する酸化剤供給ライン５３に供給することができる装置で提供され得る。これとは異なり、外部の空気を供給できるエアポンプの形態で提供され得る。前述した例とは異なり、酸化剤を供給できる装置であれば制限なく適用可能である。
【００５４】
酸化剤供給ライン５３は、一端は酸化剤供給部５１と連結され、他端は燃焼チャンバー２１と連結され得る。酸化剤供給ライン５３は酸化剤供給部５１から供給された酸化剤を燃焼チャンバー２１に供給することができる。
【００５５】
ガス排出ユニット６０は燃焼チャンバー２１の内部で有機性燃料が燃焼反応後に生成される燃焼ガスを排出することができる。
【００５６】
ガス排出ユニット６０はガス供給ライン６１、ガス排出ライン６３、そして燃料ガス濾過器６５を含む。
【００５７】
ガス供給ライン６１は燃焼チャンバー２１の燃焼ガスを燃料混合部１３に供給することができる。ガス供給ライン６１は、一端は燃焼チャンバー２１と連結され、他端は燃料混合部１３と連結され得る。
【００５８】
ガス供給ライン６１を通じて供給された燃焼ガスは、燃料混合部１３に流入した後、燃料混合部１３の内部に位置する有機性燃料と熱交換することができる。
【００５９】
一例として、燃料混合部１３に直接供給された有機性燃料は、有機性燃料と直接接触しながら熱交換することができる。これを通じて有機性燃料に含まれた水分を蒸発させることができる。
【００６０】
すなわち、高温の燃料ガスは低温の有機性燃料と熱交換をすることによって、有機性燃料に熱を供給することができるし、これを通じて有機性燃料に含まれた水分を蒸発させ、有機性燃料の燃焼時に燃焼が良好に行われるように助けることができる。
【００６１】
他の例として、燃料混合部１３は内部に燃焼が通過する管を有することができ、燃料ガスは内部に管を通過しながら熱を有機性燃料に提供することができる。
【００６２】
ガス排出ライン６３は、燃料混合部１３内に有機性燃料と熱交換を行った後に排出される燃料ガスを外部に排出することができる。ガス排出ライン６３は燃料混合部１３と連結され得る。
【００６３】
ガス排出ライン６３には燃料ガス濾過器６５が結合され得る。燃料ガス濾過器６５は燃料ガスの内部の異物および有害ガスを濾過することができる。
【００６４】
電力ユニット７０は発電ユニット３０から供給された電力を保管して他の装置に電力を供給することができる。電力ユニット７０は電力供給ライン７１および電力供給部７３を含む。
【００６５】
電力供給ライン７１は内部発電部３１または外部発電部３３と連結されて供給された電力を電力供給部７３に供給することができる。
【００６６】
電力供給部７３は供給された電力を保管することができるし、外部の他の装置と連結されて他の装置に電力を供給することができる。
【００６７】
図２〜図４は、本発明の他の実施例に係る燃焼発電装置を示す図面である。
【００６８】
図２の燃焼発電装置１ａは、図１の燃焼発電装置１と略同一に提供される。ただし、図２の燃焼発電装置１ａの酸化剤供給ユニット５０ａは、図１の燃焼発電装置１の酸化剤供給ユニット５０と異なって提供され得る。
【００６９】
図２の酸化剤供給ユニット５０ａは、酸化剤供給部５１ａおよび酸化剤供給ライン５３ａを含むことができる。
【００７０】
図２の酸化剤供給部５１ａは図１の酸化剤供給部５１と略同一に提供され得る。酸化剤供給ライン５３ａは第１酸化剤供給ライン５５ａおよび第２酸化剤供給ライン５７ａを含む。
【００７１】
第１酸化剤供給ライン５５ａは、一端は酸化剤供給部５１ａと連結され、他端は反応副産物容器４３ａと連結され得る。第１酸化剤供給ライン５５ａは酸化剤供給部５１ａに供給された酸化剤を反応副産物容器４３ａに供給することができる。反応副産物容器４３ａの内部に供給された酸化剤は、反応副産物容器４３ａ内に位置する反応副産物と熱交換することができる。反応副産物容器４３ａ内に反応副産物は燃焼反応後に生成される物質であって、酸化剤に比べて相対的に高温の物質である。したがって、酸化剤は反応副産物から熱交換を通じて熱の供給を受けることができる。燃焼チャンバー２１ａに供給される前に酸化剤が一定の温度以上に上昇することによって、燃焼チャンバー２１ａ内の燃焼反応時に燃焼反応を効果的に進行させることができる。
【００７２】
一例として、反応副産物容器４３ａ内での熱交換は、気体状態の酸化剤が直接供給されて反応副産物と直接接触して熱交換することができる。
【００７３】
これとは異なり、反応副産物容器４３ａ内に酸化剤が通過できる管が内部に位置して、管を流れる酸化剤が外部の反応副産物と熱交換する形態で提供され得る。
【００７４】
第２酸化剤供給ライン５７ａは、一端は反応副産物容器４３ａと連結され、他端は燃焼チャンバー２１ａと連結され得る。第２酸化剤供給ライン５７ａは反応副産物容器４３内の反応副産物と熱交換を行った酸化剤を燃焼チャンバー２１ａに供給することができる。
【００７５】
図３の燃焼発電装置１ｂは、図１の燃焼発電装置１と略同一に提供される。ただし、図３の燃焼発電装置１ｂのガス排出ユニット６０ｂは、図１の燃焼発電装置１のガス排出ユニット６０と異なって提供され得る。
【００７６】
図３のガス排出ユニット６０ｂは、ガス供給ライン６１ｂ、ガス排出ライン６３ｂ、燃料ガス濾過器６５ｂ、そして汚物除去部６７ｂを含む。
【００７７】
図３のガス供給ライン６１ｂ、ガス排出ライン６３ｂ、燃料ガス濾過器６５ｂは、図１のガス供給ライン６１、ガス排出ライン６３、燃料ガス濾過器６５と略同一に提供され得る。
【００７８】
図３の汚物除去部６７ｂはガス供給ライン６１ｂ上に設置され得る。汚物除去部６７ｂは内部に触媒剤を有することができる。触媒剤は燃焼チャンバー２１ｂから供給された燃焼ガスの汚物を除去することができる。一例として、触媒剤は、白金（Ｐｔ）、パラジウム（Ｐｄ）、ロジウム（Ｒｈ）、ニッケル（Ｎｉ）、担持された貴金属触媒類で提供され得る。これとは異なり、触媒剤は、鉄（Ｆｅ）、銅（Ｃｕ）、クロム（Ｃｒ）、コバルト（Ｃｏ）等の金属類がそれぞれ混合または単一に担持された形態で提供され得る。
【００７９】
反応ガスは、汚物除去部６７ｂと燃料ガス濾過器６５ｂを通じて反応ガスの汚物を除去することによって、外部に排出される反応ガスの汚物を最小化して環境の汚染を最小化することができる。
【００８０】
図４の燃焼発電装置１ｃは図１の燃焼発電装置１と略同一に提供される。ただし、図４の燃焼発電装置１ｃの酸化剤供給ユニット５０ｃおよびガス排出ユニット６０ｃは、図１の燃焼発電装置１の酸化剤供給ユニット５０およびガス排出ユニット６０と異なって提供され得る。
【００８１】
図４の酸化剤供給ユニット５０ｃは図２の酸化剤供給ユニット５０ａと略同一に提供され得る。図４のガス排出ユニット６０ｃは図３のガス排出ユニット６０ｂと略同一に提供され得る。
【００８２】
図５〜図８は、図１〜図４の燃焼発電装置において、有機性燃料、反応副産物、燃焼ガス、そして酸化剤が供給または排出される経路を概略的に図示したものである。
【００８３】
これを参照すると、図１〜図４の燃焼発電装置１、１ａ、１ｂ、１ｃは、有機性燃料を反応ユニット２０、２０ａ、２０ｂ、２０ｃに供給し、反応ユニット２０、２０ａ、２０ｂ、２０ｃで生成された反応副産物を反応副産物排出ユニット４０、４０ａ、４０ｂ、４０ｃに供給して外部に排出することができる。酸化剤は燃焼チャンバー２１、２１ｂに直接供給されるか、反応副産物容器４３ａ、４３ｃを経て反応副産物容器４３ａ、４３ｃ内で反応副産物と熱交換し、燃焼チャンバー２１、２１ａ、２１ｂ、２１ｃに供給され得る。
【００８４】
燃料ガスは燃焼チャンバー２１、２１ａ、２１ｂ、２１ｃで生成され、ガス供給ライン６１、６１ａ、６１ｂ、６１ｃ、ガス排出ライン６３、６３ａ、６３ｂ、６３ｃ、燃料混合部１３、１３ａ、１３ｂ、１３ｃ、そして燃料ガス濾過器６５、６５ａ、６５ｂ、６５ｃを順に通過して外部に排出され得る。燃料ガスは、ガス供給ライン６１ｂに設置された汚物除去部６７ｂを通過するか、燃料ガス濾過器６５、６５ａ、６５ｂ、６５ｃを通過して汚物を除去した後、外部に排出することができる。
【００８５】
上述した通り、本発明の一実施例によると、燃焼発電装置１は燃焼チャンバー２１の内部で生成された熱と外部に放出される熱を利用して電力を生産できる。すなわち、燃焼チャンバー２１の外部に放出される熱でも電力を生産して電力の生産効率を向上させることができる。
【００８６】
また、本発明の一実施例に係る燃焼発電装置１は、汚物除去部６７ｂまたは燃料ガス濾過器６５を通じて外部に排出される燃料ガスの汚物を最小化して環境の汚染を最小化することができる。
【００８７】
以上の詳細な説明は本発明を例示するものである。また、前述した内容は本発明の好ましい実施形態をしめして説明するものであり、本発明は多様な他の組み合わせ、変更および環境で使うことができる。すなわち、本明細書に開示された発明の概念の範囲、著述した開示内容と均等な範囲および／または当業界の技術または知識の範囲内で変更または修正が可能である。前述した実施例は、本発明の技術的思想を具現するための最善の状態を説明するものであり、本発明の具体的な適用分野および用途で要求される多様な変更も可能である。したがって、以上の発明の詳細な説明は開示された実施状態に本発明を制限しようとする意図ではない。また添付された特許請求の範囲は他の実施状態も含むものと解釈されるべきである。
【図１】
2019535944.tif 000003
【図２】
2019535944.tif 000004
【図３】
2019535944.tif 000005
【図４】
2019535944.tif 000006
【図５】
2019535944.tif 000007
【図６】
2019535944.tif 000008
【図７】
2019535944.tif 000009
【図８】
2019535944.tif 000010
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
有機性原料を利用して電力を生産する燃焼発電装置において、
互いに異なる前記有機性原料を供給する複数個の単一燃料供給部と前記単一燃料供給部から供給された前記有機性原料を混合する燃料混合部および前記燃料混合部内で均一に混合された前記有機性原料の供給を受ける混合燃料供給部を含む燃料供給ユニットと；
前記混合燃料供給部から供給された前記有機性原料を燃焼させる燃焼チャンバーを具備する反応ユニットと；そして
前記燃焼チャンバー内で前記有機性原料の燃焼反応によって生成される熱エネルギーを利用して電力を生産する内部発電部および前記燃焼チャンバーの外部に放出される熱エネルギーを利用して電力を生産する外部発電部を具備する発電ユニットを含む、燃焼発電装置。
【請求項２】
前記内部発電部は、前記燃焼チャンバーの内部空間に位置するスターリングエンジンを利用して電力を生産し、
前記外部発電部は、
前記燃焼チャンバーの周囲に位置して前記燃焼チャンバーから外部に放出される熱エネルギーを吸収する集熱板および前記集熱板から供給された熱を利用して電力を生産する発電素子を含む、請求項１に記載の燃焼発電装置。
【請求項３】
前記燃料混合部は、
内部に前記有機性原料が混合される混合空間を有する混合チャンバーと；
前記混合チャンバーの内部に位置して前記有機性原料を混合する燃料混合部材を含む、請求項１に記載の燃焼発電装置。
【請求項４】
前記燃焼発電装置は、前記有機性原料が前記燃焼チャンバー内で燃焼された後、生成される反応副産物を排出する反応副産物排出ユニットをさらに含むものの、
前記反応副産物排出ユニットは、
前記燃焼チャンバー内で生成された前記反応副産物が収容される反応副産物容器と；
前記燃焼チャンバーおよび前記反応副産物容器と連結され、前記燃焼チャンバーで生成された前記反応副産物を前記反応副産物容器に供給する反応副産物供給管を含む、請求項１〜請求項３のいずれか一項に記載の燃焼発電装置。
【請求項５】
前記反応副産物供給管は、前記燃焼チャンバーから前記反応副産物容器に向かう方向に行くほど断面積が次第に増加する形状で提供される、請求項４に記載の燃焼発電装置。
【請求項６】
前記燃焼発電装置は、前記燃焼チャンバーに酸化剤を供給する酸化剤供給ユニットをさらに含むものの、
前記酸化剤供給ユニットは、
気体状態の酸化剤を前記燃焼チャンバーに供給する酸化剤供給部と；
前記酸化剤供給部と連結されて前記燃焼チャンバーに酸化剤を供給する酸化剤供給ラインを含む、請求項４に記載の燃焼発電装置。
【請求項７】
前記酸化剤供給ラインは、
前記酸化剤供給部および前記反応副産物容器と連結されて前記酸化剤供給部から供給された前記酸化剤を前記反応副産物に供給する第１酸化剤供給ラインと；
前記燃焼チャンバーおよび前記反応副産物容器と連結されて前記反応副産物容器内の前記反応副産物と熱交換を行った前記酸化剤を前記燃焼チャンバーに供給する第２酸化剤供給ラインを含む、請求項６に記載の燃焼発電装置。
【請求項８】
前記燃焼発電装置は、前記燃焼チャンバー内で前記有機性原料が燃焼反応後に生成される燃焼ガスを排出するガス排出ユニットをさらに含むものの、
前記ガス排出ユニットは、
前記燃焼チャンバーと連結されて前記燃焼チャンバーの前記燃焼ガスを前記燃料混合部に供給するガス供給ラインと；
前記燃料混合部内に前記有機性原料と熱交換を行った後に排出される前記燃焼ガスを外部に排出するガス排出ラインと；そして
前記ガス排出ライン上に結合されて前記燃焼ガスを濾過する燃焼ガス濾過器を含む、請求項１〜請求項７のいずれか一項に記載の燃焼発電装置。
【請求項９】
前記ガス排出ユニットは、前記ガス供給ラインに設置され、前記燃焼チャンバーから供給された前記燃焼ガスの汚物を除去するように触媒剤を有している汚物除去部をさらに含む、請求項８に記載の燃焼発電装置。
【請求項１０】
前記燃焼発電装置は前記発電ユニットから供給された電力を保管して他の装置に前記電力を供給する電力ユニットをさらに含む、請求項１〜請求項９のいずれか一項に記載の燃焼発電装置。
【請求項１１】
前記有機性原料は、コーヒーカス、ココナッツのカス、林地残滓、木材ペレット、廃食用油を含む、請求項１〜請求項１０のいずれか一項に記載の燃焼発電装置。
【手続補正３】
【補正対象書類名】明細書
【補正対象項目名】０００２
【補正方法】変更
【補正の内容】
【０００２】
本発明は有機性原料を利用して電力を生産できる燃焼発電装置に関するものであって、より具体的には、炭素および水素が多量含まれた多種の有機性物質が混合された有機性原料を燃焼させて生成された熱エネルギーを利用して電力を生産できる燃焼発電装置に関するものである。
【手続補正４】
【補正対象書類名】明細書
【補正対象項目名】００１３
【補正方法】変更
【補正の内容】
【００１３】
本発明の一実施例によると、燃焼発電装置は互いに異なる前記有機性原料を供給する複数個の単一燃料供給部と前記単一燃料供給部から供給された有機性原料を混合する燃料混合部および前記燃料混合部内で均一に混合された前記有機性原料の供給を受ける混合燃料供給部を含む燃料供給ユニットと前記混合燃料供給部から供給された前記有機性原料を燃焼させる燃焼チャンバーを具備する反応ユニットと、そして前記燃焼チャンバー内で前記有機性原料の燃焼反応によって生成される熱エネルギーを利用して電力を生産する内部発電部および前記燃焼チャンバーの外部に放出される熱エネルギーを利用して電力を生産する外部発電部を具備する発電ユニットを含むことができる。
【手続補正５】
【補正対象書類名】明細書
【補正対象項目名】００１５
【補正方法】変更
【補正の内容】
【００１５】
一実施例によると、前記燃料混合部は内部に前記有機性原料が混合される混合空間を有する混合チャンバーと前記混合チャンバーの内部に位置して前記有機性原料を混合する燃料混合部材を含むことができる。
【手続補正６】
【補正対象書類名】明細書
【補正対象項目名】００２０
【補正方法】変更
【補正の内容】
【００２０】
一実施例によると、前記燃焼発電装置は、前記燃焼チャンバー内で前記有機性原料が燃焼反応後に生成される燃焼ガスを排出するガス排出ユニットをさらに含むものの、前記ガス排出ユニットは前記燃焼チャンバーと連結されて前記燃焼チャンバーの前記燃焼ガスを前記燃料混合部に供給するガス供給ラインと前記燃料混合部内に前記有機性原料と熱交換を行った後に排出される前記燃焼ガスを外部に排出するガス排出ラインと、そして前記ガス排出ライン上に結合されて前記燃焼ガスを濾過する燃焼ガス濾過器を含むことができる。
【手続補正７】
【補正対象書類名】明細書
【補正対象項目名】００２４
【補正方法】変更
【補正の内容】
【００２４】
また、本発明の一実施例に係る燃焼発電装置は、汚物除去部または燃焼ガス濾過器を通じて外部に排出される燃焼ガスの汚物を最小化して環境の汚染を最小化することができる。
【手続補正８】
【補正対象書類名】明細書
【補正対象項目名】００２７
【補正方法】変更
【補正の内容】
【００２７】
本発明は有機性原料を利用して電力を生産できる燃焼発電装置１に関するものである。
【手続補正９】
【補正対象書類名】明細書
【補正対象項目名】００２９
【補正方法】変更
【補正の内容】
【００２９】
燃料供給ユニット１０は、互いに異なる有機性原料を混合して反応ユニット２０に供給する。燃料供給ユニット１０は複数個の有機性原料を均一に混合して反応ユニット２０に供給することができる。
【手続補正１０】
【補正対象書類名】明細書
【補正対象項目名】００３８
【補正方法】変更
【補正の内容】
【００３８】
燃焼チャンバー２１は混合燃料供給部１８と連結され得る。燃焼チャンバー２１は混合燃料供給部１８から有機性原料の供給を受けることができる。燃焼チャンバー２１の内部空間は燃焼空間２３で提供され得る。供給された複数個の有機性原料は燃焼空間２３の内部で燃焼され得る。一例として、燃焼空間２３では後述する酸化剤供給部５１から気体状態の酸化剤の供給を受けて有機性原料を燃焼させることができる。
【手続補正１１】
【補正対象書類名】明細書
【補正対象項目名】００４１
【補正方法】変更
【補正の内容】
【００４１】
内部発電部３１は燃焼チャンバー２１内で有機性原料の燃焼反応によって生成された熱エネルギーを利用して電力を生産できる。一例として、内部発電部３１は複数個のスターリングエンジンを含むことができる。スターリングエンジンは燃焼チャンバー２１の内部である燃焼空間２３に位置することができる。スターリングエンジンは生成された熱エネルギーを利用して電力を生産できる。前述した例とは異なり、燃焼空間２３の内部に位置して生成された熱エネルギーで電力を生産できる装置であれば制限なく適用可能である。
【手続補正１２】
【補正対象書類名】明細書
【補正対象項目名】００５１
【補正方法】変更
【補正の内容】
【００５１】
酸化剤供給ユニット５０は燃焼チャンバー２１に酸化剤を供給することができる。酸化剤は反応空間で燃焼反応時に燃焼反応を促進する物質で提供され得る。一例として、酸化剤は酸素を含む空気、酸素またはオゾンで提供され得る。これとは異なり、有機性原料を酸化させ得る酸化剤であれば制限なく適用可能である。
【手続補正１３】
【補正対象書類名】明細書
【補正対象項目名】００５５
【補正方法】変更
【補正の内容】
【００５５】
ガス排出ユニット６０は燃焼チャンバー２１の内部で有機性原料が燃焼反応後に生成される燃焼ガスを排出することができる。
【手続補正１４】
【補正対象書類名】明細書
【補正対象項目名】００５６
【補正方法】変更
【補正の内容】
【００５６】
ガス排出ユニット６０はガス供給ライン６１、ガス排出ライン６３、そして燃焼ガス濾過器６５を含む。
【手続補正１５】
【補正対象書類名】明細書
【補正対象項目名】００５８
【補正方法】変更
【補正の内容】
【００５８】
ガス供給ライン６１を通じて供給された燃焼ガスは、燃料混合部１３に流入した後、燃料混合部１３の内部に位置する有機性原料と熱交換することができる。
【手続補正１６】
【補正対象書類名】明細書
【補正対象項目名】００５９
【補正方法】変更
【補正の内容】
【００５９】
一例として、燃料混合部１３に直接供給された有機性原料は、有機性原料と直接接触しながら熱交換することができる。これを通じて有機性原料に含まれた水分を蒸発させることができる。
【手続補正１７】
【補正対象書類名】明細書
【補正対象項目名】００６０
【補正方法】変更
【補正の内容】
【００６０】
すなわち、高温の燃焼ガスは低温の有機性原料と熱交換をすることによって、有機性原料に熱を供給することができるし、これを通じて有機性原料に含まれた水分を蒸発させ、有機性原料の燃焼時に燃焼が良好に行われるように助けることができる。
【手続補正１８】
【補正対象書類名】明細書
【補正対象項目名】００６１
【補正方法】変更
【補正の内容】
【００６１】
他の例として、燃料混合部１３は内部に燃焼ガスが通過する管を有することができ、燃焼ガスは内部に管を通過しながら熱を有機性原料に提供することができる。
【手続補正１９】
【補正対象書類名】明細書
【補正対象項目名】００６２
【補正方法】変更
【補正の内容】
【００６２】
ガス排出ライン６３は、燃料混合部１３内に有機性原料と熱交換を行った後に排出される燃焼ガスを外部に排出することができる。ガス排出ライン６３は燃料混合部１３と連結され得る。
【手続補正２０】
【補正対象書類名】明細書
【補正対象項目名】００６３
【補正方法】変更
【補正の内容】
【００６３】
ガス排出ライン６３には燃焼ガス濾過器６５が結合され得る。燃焼ガス濾過器６５は燃焼ガスの内部の異物および有害ガスを濾過することができる。
【手続補正２１】
【補正対象書類名】明細書
【補正対象項目名】００７４
【補正方法】変更
【補正の内容】
【００７４】
第２酸化剤供給ライン５７ａは、一端は反応副産物容器４３ａと連結され、他端は燃焼チャンバー２１ａと連結され得る。第２酸化剤供給ライン５７ａは反応副産物容器４３ａ内の反応副産物と熱交換を行った酸化剤を燃焼チャンバー２１ａに供給することができる。
【手続補正２２】
【補正対象書類名】明細書
【補正対象項目名】００７６
【補正方法】変更
【補正の内容】
【００７６】
図３のガス排出ユニット６０ｂは、ガス供給ライン６１ｂ、ガス排出ライン６３ｂ、燃焼ガス濾過器６５ｂ、そして汚物除去部６７ｂを含む。
【手続補正２３】
【補正対象書類名】明細書
【補正対象項目名】００７７
【補正方法】変更
【補正の内容】
【００７７】
図３のガス供給ライン６１ｂ、ガス排出ライン６３ｂ、燃焼ガス濾過器６５ｂは、図１のガス供給ライン６１、ガス排出ライン６３、燃焼ガス濾過器６５と略同一に提供され得る。
【手続補正２４】
【補正対象書類名】明細書
【補正対象項目名】００７９
【補正方法】変更
【補正の内容】
【００７９】
反応ガスは、汚物除去部６７ｂと燃焼ガス濾過器６５ｂを通じて反応ガスの汚物を除去することによって、外部に排出される反応ガスの汚物を最小化して環境の汚染を最小化することができる。
【手続補正２５】
【補正対象書類名】明細書
【補正対象項目名】００８２
【補正方法】変更
【補正の内容】
【００８２】
図５?図８は、図１?図４の燃焼発電装置において、有機性原料、反応副産物、燃焼ガス、そして酸化剤が供給または排出される経路を概略的に図示したものである。
【手続補正２６】
【補正対象書類名】明細書
【補正対象項目名】００８３
【補正方法】変更
【補正の内容】
【００８３】
これを参照すると、図１?図４の燃焼発電装置１、１ａ、１ｂ、１ｃは、有機性原料を反応ユニット２０、２０ａ、２０ｂ、２０ｃに供給し、反応ユニット２０、２０ａ、２０ｂ、２０ｃで生成された反応副産物を反応副産物排出ユニット４０、４０ａ、４０ｂ、４０ｃに供給して外部に排出することができる。酸化剤は燃焼チャンバー２１、２１ｂに直接供給されるか、反応副産物容器４３ａ、４３ｃを経て反応副産物容器４３ａ、４３ｃ内で反応副産物と熱交換し、燃焼チャンバー２１、２１ａ、２１ｂ、２１ｃに供給され得る。
【手続補正２７】
【補正対象書類名】明細書
【補正対象項目名】００８４
【補正方法】変更
【補正の内容】
【００８４】
燃焼ガスは燃焼チャンバー２１、２１ａ、２１ｂ、２１ｃで生成され、ガス供給ライン６１、６１ａ、６１ｂ、６１ｃ、ガス排出ライン６３、６３ａ、６３ｂ、６３ｃ、燃料混合部１３、１３ａ、１３ｂ、１３ｃ、そして燃焼ガス濾過器６５、６５ａ、６５ｂ、６５ｃを順に通過して外部に排出され得る。燃焼ガスは、ガス供給ライン６１ｂに設置された汚物除去部６７ｂを通過するか、燃焼ガス濾過器６５、６５ａ、６５ｂ、６５ｃを通過して汚物を除去した後、外部に排出することができる。
【手続補正２８】
【補正対象書類名】明細書
【補正対象項目名】００８６
【補正方法】変更
【補正の内容】
【００８６】
また、本発明の一実施例に係る燃焼発電装置１は、汚物除去部６７ｂまたは燃焼ガス濾過器６５を通じて外部に排出される燃焼ガスの汚物を最小化して環境の汚染を最小化することができる。
【国際調査報告】
2019535944.tif 000011
2019535944.tif 000012
2019535944.tif 000013
2019535944.tif 000014